(57)【要約】【課題】冷却水の蒸発を促進することで冷却効果が高められた軽量な羽根部であって、外装材としての強度の確保と高い保水性との両立を図ることが可能な羽根部を有するルーバーを提供する。【解決手段】建物の外方に配置される羽根部を有したルーバーである。前記羽根部の外形をなし、複数の通気孔が貫通形成された囲い部材と、前記囲い部材が区画形成する空間に収容されて保持されるシート状保水材と、前記シート状保水材に給水する給水機構と、を有する。前記シート状保水材の片面は、前記通気孔に対向している。【選択図】図２
2013144886.tif 000002
【特許請求の範囲】
【請求項１】
建物の外方に配置される羽根部を有したルーバーであって、
前記羽根部の外形をなし、複数の通気孔が貫通形成された囲い部材と、
前記囲い部材が区画形成する空間に収容されて保持されるシート状保水材と、
前記シート状保水材に給水する給水機構と、を有し、
前記シート状保水材の片面は、前記通気孔に対向していることを特徴とするルーバー。
【請求項２】
請求項１に記載のルーバーであって、
前記囲い部材は長手方向を有し、前記囲い部材が区画形成する前記空間の長手方向は前記囲い部材の長手方向と揃っており、
前記シート状保水材は、該シート状保水材の長手方向を前記囲い部材の長手方向に揃えつつ前記空間に収容されており、
前記シート状保水材には、前記シート状保水材の形状を平坦に保つための保形部材が設けられていることを特徴とするルーバー。
【請求項３】
請求項２に記載のルーバーであって、
前記保形部材は、前記シート状保水材の前記長手方向に間欠的に複数並んで設けられていることを特徴とするルーバー。
【請求項４】
請求項２又は３に記載のルーバーであって、
前記保形部材は、透水性の樹脂繊維からなる網状体であることを特徴とするルーバー。
【請求項５】
請求項２乃至４の何れかに記載のルーバーであって、
一対の前記シート状保水材同士は、互いに厚さ方向に重ね合わせられて接合されており、
前記シート状保水材同士の間に、前記保形部材が介装されて保持されていることを特徴とするルーバー。
【請求項６】
請求項１乃至５の何れかに記載のルーバーであって、
前記囲い部材は、前記長手方向の少なくとも一方端が開口した中空部材であり、
前記囲い部材は、前記長手方向に沿って複数並んで設けられ、
前記囲い部材毎に、前記シート状保水材がそれぞれ収容され、
前記長手方向に隣り合う囲い部材同士の間には、隙間が形成されていることを特徴とするルーバー。
【請求項７】
請求項１乃至６の何れかに記載のルーバーであって、
前記囲い部材の上方には、前記給水機構の給水口部が設けられており、
前記給水口部から前記囲い部材内の前記シート状保水材に向けて水を落下供給することを特徴とするルーバー。
【請求項８】
請求項１乃至７の何れかに記載のルーバーであって、
前記シート状保水材は、水よりも比重が小さい材料で形成されていることを特徴とするルーバー。
【請求項９】
請求項１乃至８の何れかに記載のルーバーであって、
前記囲い部材が区画形成する前記空間には、前記シート状保水材と共に、配管が収容されており、
前記配管の一方の管端からは、前記建物の屋内空調に使用される熱媒体が送り込まれ、前記配管の他方の管端からは、前記熱媒体が送出されることを特徴とするルーバー。
【発明の詳細な説明】
【技術分野】
【０００１】
本発明は、建物の外方に配置される羽根部を有したルーバーに関する。
【背景技術】
【０００２】
従来、ファサード等の建物の外方位置には、日射遮蔽目的等でルーバーが配置されている。かかるルーバーは、互いの間に間隔を空けて並ぶ複数の羽根部を有し、これら羽根部によって建物の屋内への日差しの侵入を防ぐようにしている。  
しかし、夏季のように日射が強い時期や、西日を受ける時間帯などには、アルミニウム等の金属製の羽根部が日射を吸収して高温化してしまい、その結果、羽根部自体が輻射熱源となって、その周辺の屋外空間や屋内空間を暑熱環境にしてしまうおそれがあった。  
この点につき、特許文献１には、ルーバーの複数の羽根部内に冷却水の流路を設けて水冷することが開示されている。
【先行技術文献】
【特許文献】
【０００３】
【特許文献１】特開２０１０−１１６７４１号公報
【発明の概要】
【発明が解決しようとする課題】
【０００４】
しかしながら、冷却水は羽根部に保水されて、羽根部表面から気化することによって冷却されるので、羽根部の保水性を高める必要があるが、その場合、外装材としての強度を確保しつつ、保水性を高めなければならず、セラミック製の材料等では、その両立が難しいといえる。  
また、ルーバーの重量が重いと、当該ルーバーを建物の高所に配置し難くなり、配置自由度の点で問題となる。
【０００５】
本発明は、上記のような従来の問題に鑑みなされたものであって、その目的は、冷却水の蒸発を促進することで冷却効果が高められた軽量な羽根部であって、外装材としての強度の確保と高い保水性との両立を図ることが可能な羽根部を有するルーバーを提供することにある。
【課題を解決するための手段】
【０００６】
かかる目的を達成するために請求項１に示す発明は、
建物の外方に配置される羽根部を有したルーバーであって、
前記羽根部の外形をなし、複数の通気孔が貫通形成された囲い部材と、
前記囲い部材が区画形成する空間に収容されて保持されるシート状保水材と、
前記シート状保水材に給水する給水機構と、を有し、
前記シート状保水材の片面は、前記通気孔に対向していることを特徴とする。
【０００７】
上記請求項１に示す発明によれば、羽根部のシート状保水材はシート状なので、少なくともその両面にそれぞれ保水可能であり、つまり保水可能面積が広いため高い保水性を奏し得る。また、外装材たる羽根部の囲い部材と保水材とを互いに別部材として構成している。よって、保水材については、強度に左右されずに保水性の高い材料を選定して形成可能であり、他方、囲い部材にあっては、保水性に左右されずに、外装材としての強度の確保に適した材料を選定して形成することができる。その結果、当該羽根部は、外装材としての強度の確保と保水性との両立を図ることができる。  
また、かかるシート状保水材が囲い部材の上記空間に収容された状態では、シート状保水材の片面は通気孔に対向している。よって、通気孔から取り込まれた外気は速やかに保水材の片面に接触する。そして、当該外気の接触により、シート状保水材の片面に保持された水の蒸発が促進されるので、その気化熱によるシート状保水材の冷却が効果的に行われ、その結果、ルーバーの羽根部の冷却効果を大幅に高めることができる。  
また、シート状保水材はシート状であるので軽く、結果、羽根部の軽量化を図れる。すなわち、保水材が石材のような大きな体積を持った中実部材の場合には、保持する水で重くなる以前に保水材自体が既に重くなってしまい、そのため羽根部の軽量化は困難であるが、この点につき、保水材がシート状の場合には、当該シート状保水材自体の体積が小さいことから軽量であり、その結果、羽根部の軽量化を図ることができる。
【０００８】
請求項２に示す発明は、請求項１に記載のルーバーであって、
前記囲い部材は長手方向を有し、前記囲い部材が区画形成する前記空間の長手方向は前記囲い部材の長手方向と揃っており、
前記シート状保水材は、該シート状保水材の長手方向を前記囲い部材の長手方向に揃えつつ前記空間に収容されており、
前記シート状保水材には、前記シート状保水材の形状を平坦に保つための保形部材が設けられていることを特徴とする。
【０００９】
上記請求項２に示す発明によれば、経年劣化等によるシート状保水材の平坦形状からの崩れを防ぐことができる。これにより、通気孔からの外気に接触すべきシート状保水材の片面の面積を、長期に亘って広い状態に維持可能であり、その結果、外気による蒸発の促進を長期に亘って維持し得て、ルーバーの羽根部の高い冷却効果を長期間に亘り奏することができる。  
また、シート状保水材は保形部材によって平坦形状に保たれ易くなるので、囲い部材内の空間へのシート状保水材の挿抜性が良好になる。これにより、使用済みのシート状保水材を新品のシート状保水材に交換する作業を行い易くなる。
【００１０】
請求項３に示す発明は、請求項２に記載のルーバーであって、
前記保形部材は、前記シート状保水材の前記長手方向に間欠的に複数並んで設けられていることを特徴とする。  
上記請求項３に示す発明によれば、シート状保水材において保形部材が設けられていない部分は比較的曲がり易い部分となり、当該曲がり易い部分が長手方向に間欠的に存在することになるので、シート状保水材の曲率を制御し易くなる。そして、その結果、囲い部材内の空間へのシート状保水材の挿抜作業を行い易くなる。
【００１１】
請求項４に示す発明は、請求項２又は３に記載のルーバーであって、
前記保形部材は、透水性の樹脂繊維からなる網状体であることを特徴とする。  
上記請求項４に示す発明によれば、保形部材は樹脂繊維からなる網状体であるので、当該保形部材の付加に伴って羽根部の重量が大きく増加してしまうことを回避し得て、その結果、羽根部の軽量化を図り易くなる。
【００１２】
請求項５に示す発明は、請求項２乃至４の何れかに記載のルーバーであって、
一対の前記シート状保水材同士は、互いに厚さ方向に重ね合わせられて接合されており、
前記シート状保水材同士の間に、前記保形部材が介装されて保持されていることを特徴とする。  
上記請求項５に示す発明によれば、保形部材は一対のシート状保水材同士の間に介装・保持されているので、シート状保水材からの保形部材の脱落を有効に防ぐことができて、その結果、シート状保水材の略平坦形状が長期に亘り安定化する。
【００１３】
請求項６に示す発明は、請求項１乃至５の何れかに記載のルーバーであって、
前記囲い部材は、前記長手方向の少なくとも一方端が開口した中空部材であり、
前記囲い部材は、前記長手方向に沿って複数並んで設けられ、
前記囲い部材毎に、前記シート状保水材がそれぞれ収容され、
前記長手方向に隣り合う囲い部材同士の間には、隙間が形成されていることを特徴とする。  
上記請求項６に示す発明によれば、長手方向に隣り合う囲い部材同士の間には、隙間が形成されているので、当該隙間から囲い部材内の使用済みのシート状保水材を抜き出して新品のシート状保水材に入れ替えることができる。よって、シート状保水材の交換作業を容易に行えるようになる。
【００１４】
請求項７に示す発明は、請求項１乃至６の何れかに記載のルーバーであって、
前記囲い部材の上方には、前記給水機構の給水口部が設けられており、
前記給水口部から前記囲い部材内の前記シート状保水材に向けて水を落下供給することを特徴とする。  
上記請求項７に示す発明によれば、囲い部材の上方から保水材に向けて水を落下供給するので、水は自重や毛細管現象によって、保水材における上方部位から下方部位へと順次拡散浸透してシート状保水材の略全域に行き渡る。よって、シート状保水材の略全域を冷却に寄与させることができて、高い冷却効果を奏し得る。
【００１５】
請求項８に示す発明は、請求項１乃至７の何れかに記載のルーバーであって、
前記シート状保水材は、水よりも比重が小さい材料で形成されていることを特徴とする。  
上記請求項８に示す発明によれば、水よりも比重が小さい材料で形成されているので、羽根部の軽量化を図り易くなる。
【００１６】
請求項９に示す発明は、請求項１乃至８の何れかに記載のルーバーであって、
前記囲い部材が区画形成する前記空間には、前記シート状保水材と共に、配管が収容されており、
前記配管の一方の管端からは、前記建物の屋内空調に使用される熱媒体が送り込まれ、前記配管の他方の管端からは、前記熱媒体が送出されることを特徴とする。  
上記請求項９に示す発明によれば、配管内の熱媒体は、囲い部材内のシート状保水材を介して冷却されるので、当該熱媒体を建物の屋内空調に利用することができる。よって、屋内空調のエネルギー効率を高めることができる。
【発明の効果】
【００１７】
本発明によれば、冷却水の蒸発を促進することで冷却効果が高められた軽量な羽根部であって、外装材としての強度の確保と高い保水性との両立を図ることが可能な羽根部を有するルーバーを提供可能となる。
【図面の簡単な説明】
【００１８】
【図１】本実施形態のルーバー１０，１０…が設けられた建物１の外観斜視図である。
【図２】本実施形態のルーバー１０の斜視図である。
【図３】図３Ａは、羽根部２０を一部破断して示す拡大側面図であり、図３Ｂは、図３Ａ中のＢ−Ｂ断面図である。
【図４】複数の単位長さ部材２２Ｕ，２２Ｕによって構成された囲い部材２２一例の斜視図である。
【図５】図５Ａは保水性帯状部材２８の正面図であり、図５Ｂは保水性帯状部材２８の分解斜視図である。
【図６】単位長さ部材２２Ｕ，２２Ｕ同士の間に隙間Ｇ２２を設けた場合の概略側面図である。
【図７】保水性帯状部材２８ａの変形例の説明図であって、囲い部材２２内に収容状態の保水性帯状部材２８の横断面図である。
【図８】複数の羽根部２０の間の空間を緑化したルーバー１０の斜視図である。
【図９】囲い部材２２ａの変形例の斜視図である。
【図１０】横型ルーバー１０ｂの一例の斜視図である。
【発明を実施するための形態】
【００１９】
＝＝＝本実施形態＝＝＝
図１は、本実施形態のルーバー１０，１０…が設けられた建物１の外観斜視図である。この例では、建物１は複数階の一例としての８階建てのビルであり、窓Ｗ，Ｗ…を有する外壁部３の屋外側には、外装材としてのルーバー１０，１０…が外壁部３に支持される形で設けられている。そして、これらルーバー１０，１０…により建物１の屋内への日差しが緩和されている。
【００２０】
なお、図１の例では、外壁部３において日差しを和らげたい部分に選択的にルーバー１０を設けている関係上、不規則なパターンで配置され、また、ルーバー１０，１０…の高さ寸法も様々である。例えば、この例では、一つのルーバー１０により、２階分、４階分、６階分、及び８階分の遮光を行うようにすべく、それぞれ、２階分の階高に相当する高さ寸法のルーバー１０、４階分の階高に相当する高さ寸法のルーバー１０、６階分の階高に相当する高さ寸法のルーバー１０、及び全階たる８階分の階高に相当する高さ寸法のルーバー１０が設けられている。但し、これらルーバー１０，１０…は、互いに高さ寸法が異なるだけであり、基本構成は同じである。
【００２１】
図２は、本実施形態のルーバー１０の斜視図である。なお、図２では一部の構成を破断して示している。また、図３Ａは、後述する羽根部２０を一部破断して示す拡大側面図であり、図３Ｂは、図３Ａ中のＢ−Ｂ断面図である。
【００２２】
図２に示すように、このルーバー１０は、遮光用に略平板形状（略扁平形状）の複数の羽根部２０，２０…を有した縦型ルーバー１０である。すなわち、羽根部２０の長手方向を鉛直方向に向けながら、複数の羽根部２０，２０…が、建物１の外壁部３の壁面３ａに沿って水平方向に間欠的に並んで配置されている。  
なお、同壁面３ａに対する各羽根部２０の向きは、遮光条件に応じて適宜設定される。例えば、この例では、同壁面３ａに対して羽根部２０の幅方向が直交方向を向いているが、場合によっては、同壁面３ａに対して各羽根部２０の幅方向を平行に向けても良いし、同壁面３ａに対して所定の傾き角で羽根部２０の幅方向が傾斜するように各羽根部２０を配置しても良い。
【００２３】
各羽根部２０は、当該羽根部２０の外形をなす囲い部材２２と、囲い部材２２の内方に互いの長手方向を揃えた状態で収容・保持された保水性帯状部材２８と、を有している。そして、各羽根部２０の上方には、保水性帯状部材２８に給水すべく給水機構３０の給水口部３１，３１…が配置されており、更に、囲い部材２２は、上端２２ｅｕ及び下端２２ｅｄが開口した無蓋無底箱体である。よって、当該上端２２ｅｕの開口を導水口として用いて、上記給水口部３１から水を囲い部材２２内へ落下供給すれば、囲い部材２２内の保水性帯状部材２８の上から下へと、水が、自重や毛細管現象に基づいて拡散浸透する。そして、これにより、水が上下方向の略全域に行き渡って同略全域が冷却され、その結果、日射起因のルーバー１０の高温化は防止される。ちなみに、給水機構３０の給水口部３１は、例えばノズルや点滴パイプであり、かかる給水口部３１を、囲い部材２２の上端２２ｅｕに設けても良いし、羽根部２０における上下方向の中間位置に設けても良い。
【００２４】
また、図２、図３Ａ、及び図３Ｂに示すように、囲い部材２２が具備する四つの側壁部２２ＷＬ，２２ＷＬ，２２ＷＳ，２２ＷＳのうちで少なくとも互いに対向する一対の側壁部２２ＷＬ，２２ＷＬには、複数の通気孔２２Ｈ，２２Ｈ…が貫通形成されており、更に、囲い部材２２内の保水性帯状部材２８の各片面Ａ２８（後述の保水性シート２８ｓの片面のことでもある）は通気孔２２Ｈ，２２Ｈ…に対向している。よって、通気孔２２Ｈ，２２Ｈ…から取り込まれた外気は速やかに保水性帯状部材２８の各片面Ａ２８に接触し、そして、当該外気の接触により、保水性帯状部材２８の片面Ａ２８に保持された水の蒸発が促進されるので、その気化熱による保水性帯状部材２８の冷却が効果的に行われ、その結果、ルーバー１０の羽根部２０の冷却効果が大きく向上される。
【００２５】
更に、この保水性帯状部材２８は、後述のように保水性シート２８ｓ（シート状保水材に相当）を基材２８ｓとする。そして、当該基材２８ｓはシート状なので、少なくともその両面にそれぞれ保水可能であり、つまり保水可能面積が広いため高い保水性を奏し得て、このことも冷却性の向上に寄与する。また、同基材２８ｓがシート状であることから軽量化を図れ、これにより、羽根部２０の総重量を軽くすることができて、その結果、かかる軽量なルーバー１０は、建物１の高所配置に適したものとなる。
【００２６】
囲い部材２２は、既述のように四つの側壁部２２ＷＬ，２２ＷＬ，２２ＷＳ，２２ＷＳを有する略扁平形状の箱部材であり、アングル等の不図示のステイ部材を介して壁面３ａに支持されている。また、囲い部材２２は、保水性帯状部材２８を固定するための不図示の固定具を長手方向に間欠的に有している。そして、かかる固定具を介して保水性帯状部材２８は囲い部材２２に自重を支持され、これにより、囲い部材２２内の中空空間に保水性帯状部材２８は保持されている。かかる固定具の一例としては、番線等が挙げられるが、何等これに限らず、すなわち、保水性帯状部材２８の自重を支持しつつ同部材２８を囲い部材２２に移動不能に固定可能な物であれば、適用可能である。
【００２７】
囲い部材２２の素材としては、例えば、鋼やアルミニウム等の金属や木、樹脂などが挙げられ、この例では、耐候性を高めるべく溶融亜鉛メッキ鋼が使用されている。但し、何等上述に限らず、つまり、囲い部材２２内の中空空間に保水性帯状部材２８を収容・保持しても変形しない程度の剛性を有した材料であって、外装材としての強度を有する材料であれば、上記以外の材料を用いても良い。
【００２８】
また、囲い部材２２は、各側壁部２２ＷＬ，２２ＷＬ，２２ＷＳ，２２ＷＳに対応するサイズの各平板を箱状に連結することで作成されても良いし、又は、全ての側壁部２２ＷＬ，２２ＷＬ，２２ＷＳ，２２ＷＳに相当する面積を有した一枚の平板を、囲い部材２２の三つの角部に相当する各位置で屈曲するとともに、同平板の端縁同士を連結して残る一つの角部を形成することで、囲い部材２２を作成しても良いし、或いは、二つの略断面コ字形状の部材２３，２３同士を、略断面ロ字形状になるように突き合わせつつボルト等の連結部材で連結固定することで作成しても良い。この例では、三番目の方法たる略断面コ字形状の部材２３，２３を用いる方法によって、囲い部材２２を形成している。このような略断面コ字形状の部材２３の一例としては、日鐵ファインフロア（商品名：日鐵住金建材(株)製）等を例示できるが、何等これに限らず、例えば鋼製平板を屈曲して作成しても良い。
【００２９】
更に、囲い部材２２は、羽根部２０の長手方向の全長に亘り一体不可分に連続した一体物として構成されても良いし、或いは、図４の斜視図に示すように羽根部２０の全長を等分してなる所定長さの部材を囲い部材２２の単位長さ部材２２Ｕとし、かかる単位長さ部材２２Ｕ，２２Ｕを、羽根部２０の全長に相当する長さになるまで長手方向に複数突き合わせて連結することにより、羽根部２０の全長に相当する長さの囲い部材２２に形成しても良い。この例では、単位長さ部材２２Ｕは、階高１階分に相当する長さ（例えば、４メートル）を有し、当該単位長さ部材２２Ｕを、対応する羽根部２０の全長に相当する数だけ（図４の例では二つ）積み上げて囲い部材２２が形成されている。
【００３０】
また、この例では、図２、図３Ａ、及び図３Ｂに示すように、保水性帯状部材２８の各片面Ａ２８，Ａ２８は、それぞれ、囲い部材２２の四つの側壁部２２ＷＬ，２２ＷＬ，２２ＷＳ，２２ＷＳのうちで面積の大きい方の一対の側壁部２２ＷＬ，２２ＷＬに対向している。そのため、前述したように外気による各片面Ａ２８，Ａ２８の水の蒸発を促進すべく、これら一対の側壁部２２ＷＬ，２２ＷＬには複数の通気孔２２Ｈ，２２Ｈ…が形成されている。但し、何等これに限るものではない。例えば、これら通気孔２２Ｈ，２２Ｈに加えて、更に、小さい方の側壁部２２ＷＳ，２２ＷＳに複数の通気孔２２Ｈ，２２Ｈ…を形成しても良い。
【００３１】
更に、この例では、通気孔２２Ｈの形状は、水平方向に長い横長矩形形状であり、当該横長矩形形状の通気孔２２Ｈが、上下方向に複数並んで形成されているが、通気孔２２Ｈの形状や配置パターンは何等これに限るものではなく、例えば真円等の円形形状であっても良いし、三角形や五角以上の多角形でも良い。また、図２及び図３Ａの例では、水平方向については通気孔２２Ｈが一つだけ設けられているが、水平方向に複数の通気孔を並べて配置しても良い。なお、かかる通気孔となり得る孔が予め形成された平板としてはパンチングメタル材等を例示できて、つまりパンチングメタル材を用いて囲い部材２２を作成しても良い。
【００３２】
図５Ａは保水性帯状部材２８の正面図であり、図５Ｂは保水性帯状部材２８の分解斜視図である。  
保水性帯状部材２８は、例えば、囲い部材２２の単位長さ部材２２Ｕの全長に相当する長さの帯状体であり、そして、既述の基材２８ｓとしての一対の帯状の保水性シート２８ｓ，２８ｓ（シート状保水材に相当）と、これら保水性シート２８ｓ，２８ｓ同士の間に介装された保形部材２９，２９…と、を有している。
【００３３】
各保水性シート２８ｓは、例えば、上記単位長さ部材２２Ｕの全長に相当する長さの透水性の不織布や織布であり、その構成繊維は、例えばポリエステルやポリプロピレン、ポリエチレンテレフタレート等の樹脂繊維などである。また、坪量は例えば２００〜４００（g／ｍ２）であり、望ましくは２７０（g／ｍ２）である。なお、望ましくは、保水性シート２８ｓは、水よりも比重が小さい材料で形成されていると良く、そのようにすれば、羽根部２０の軽量化をより図り易くなる。但し、透水性を有したシート状部材であれば、保水性シート２８ｓは何等上記に限らない。
【００３４】
保形部材２９は、保水性シート２８ｓの曲げ変形を規制してその形状を略平坦に保つ目的で、保水性シート２８ｓに積層された平面視略矩形状のシート状網体である。そして、この例では、図５Ａ及び図５Ｂに示すように、複数の保形部材２９，２９…が、保水性シート２８ｓの長手方向に間欠的に所定ピッチで並んで配置されているが、場合によっては、保水性シート２８ｓの長手方向の略全長に亘って連続して帯状に配置されていても良い。
【００３５】
図５Ｂに示すように、保形部材２９の幅寸は、保水性シート２８ｓの幅寸よりも若干狭く、これにより、一対の保水性シート２８ｓ，２８ｓは、それぞれ保形部材２９よりも幅方向の両側にそれぞれはみ出した部分２８ｓ１，２８ｓ１を有しており、これらはみ出した部分２８ｓ１，２８ｓ１と、保形部材２９，２９同士の間の保形部材２９が配置されない未配置部分２８ｓ２との両者において、一対の保水性シート２８ｓ，２８ｓ同士が額縁状に接合されて、これにより、保形部材２９が一対の保水性シート２８ｓ，２８ｓ同士の間に脱落不能に保持されている。なお、上記はみ出した部分２８ｓ１，２８ｓ１及び保形部材２９の未配置部分２８ｓ２での接合は、糸による縫い合わせでも良いし、接着剤による接着でも良いし、ステープラーによる固定でも良い。
【００３６】
保形部材２９は、例えば、ポリプロピレンやポリエチレンテレフタレート等の樹脂性網状体などであり、坪量は例えば５００〜３０００（g／ｍ２）で、望ましくは１０００（g／ｍ２）である。但し、保形部材２９は、このような網状体に限るものではない。すなわち、保水性シート２８ｓに適度な曲げ剛性を付与してその形状を略平坦に維持し得るものであれば、適用可能であり、例えば軽石を敷き詰めたり、スポンジを固定等しても良い。
【００３７】
また、かかる保形部材２９は、必須構成ではない。すなわち、保水性シート２８ｓ自体の坪量を増やしたり、同シート２８ｓの構成繊維に高剛性の素材を用いる等して、保水性シート２８ｓの折れ返りや過度の折れ曲がりを防いでその形状を概ね平坦に保つことができるのであれば、保形部材２９を設けなくても良い。また、そのようにした場合には、保形部材２９の保持目的で保水性シート２８ｓを一対たる二枚構成にする必要はなく、つまり、一枚構成の保水性シート２８ｓで或る程度の曲げ剛性を確保できるのであれば、一枚構成にしても良い。但し、保形部材２９を用いずに、保水性シート２８ｓを複数枚積層してなる複層構成で、曲げ剛性の向上を図っても良い。
【００３８】
ところで、上述の図４の例では、囲い部材２２を構成する複数の単位長さ部材２２Ｕ，２２Ｕを、その長手方向の端面２２Ｕｅにおいて隙間無く突き合わせていたが、何等これに限るものではない。例えば、図６の概略側面図に示すように、長手方向に隣り合う単位長さ部材２２Ｕ，２２Ｕ同士の間に隙間Ｇ２２をあけた状態で、長手方向の端面２２Ｕｅ、２２Ｕｅ同士を対向させて配置しても良い。この場合には、単位長さ部材２２Ｕ毎にそれぞれ保水性帯状部材２８（図６中では不図示）が設けられ、保水性帯状部材２８の長手方向の全長寸法が、単位長さ部材２２Ｕの全長に相当する長さに概ね設定されることにより、各保水性帯状部材２８は、それぞれ対応する単位長さ部材２２Ｕの中空空間内に概ね完全に収容される。
【００３９】
なお、かかる保水性帯状部材２８は、汚損や紫外線劣化など経年劣化のおそれがあるため、定期的に新品に交換する必要があるが、その場合には、上記の隙間Ｇ２２を利用することで交換作業を容易に行うことができる。すなわち、単位長さ部材２２Ｕの上端２２Ｕｅの開口又は下端２２Ｕｅの開口から使用済みの保水性帯状部材２８を引き抜く際や、同開口から新品の保水性帯状部材２８を単位長さ部材２２Ｕ内に差し込む際には、上記隙間Ｇ２２を通して保水性帯状部材２８を容易に抜き差しすることができる。但し、当該隙間Ｇ２２が上下方向に狭い場合には、多少抜き差し作業を行い難くなることもあるが、図５Ａ及び図５Ｂに示すように、保水性帯状部材２８の長手方向に保形部材２９，２９…が間欠配置されていれば、保水性帯状部材２８における保形部材２９の未配置部分２８ｓ２，２８ｓ２…が曲げ変形の起点となって保水性帯状部材２８を所定ピッチで間欠的に曲げることができるので、上記隙間Ｇ２２を用いた保水性帯状部材２８の抜き差し作業を容易に行うことができる。また、この隙間Ｇ２２に給水機構３０の給水口部３１を配置しても良く、その場合には、単位長さ部材２２Ｕ毎に給水口部３１が配置されることになる。
【００４０】
尚、上述の図４の例において複数の単位長さ部材２２Ｕが隙間無く突き合わされていても、各側壁部２２ＷＬ，２２ＷＬ，２２ＷＳ，２２ＷＳのいずれかの一部に開口部を設けることにより、その開口から保水性帯状部材２８の抜き差し作業が可能である。
【００４１】
図７は、保水性帯状部材２８ａの変形例の説明図であり、囲い部材２２内に収容状態の保水性帯状部材２８ａを横断面視で示している。
【００４２】
上述の実施形態では、保形部材２９としてシート状網体を用いていたが、この図７の変形例では、保形部材２９ａとして複数の筒状網体を用いている点で主に相違する。すなわち、この変形例では、保水性帯状部材２８ａの幅方向に並ぶ複数の一例としての三本の筒状網体２９ａ，２９ａ，２９ａが、各筒軸を保水性帯状部材２８ａの長手方向（図７中では紙面を貫通する方向）に沿わせて配置されており、そして、これら三本の筒状網体２９ａ，２９ａ，２９ａを一纏めに保水性シート２８ｓａが外方から覆うことにより、保水性帯状部材２８ａが形成されている。
【００４３】
なお、保水性シート２８ｓａは、一枚もので三本の筒状網体２９ａ，２９ａ，２９ａを一斉に覆っても良いし、上述の実施形態のように、一対の保水性シート２８ｓ，２８ｓ同士の間に三本の筒状網体２９ａ，２９ａ，２９ａを挟み込むことで覆うようにしても良い。また、上述の実施形態の保形部材２９のように、筒状網体２９ａを、保水性帯状部材２８ａの長手方向に間欠的に配置しても良いし、或いは、同長手方向の略全長に亘って連続して配置しても良い。この筒状網体２９ａの具体例としては、ヘチマロン（商品名：新光ナイロン（株）製）などが挙げられる。
【００４４】
ところで、上述の実施形態では、保水性シート２８ｓとして単層構造のシートを用いていたが、この変形例では、保水性シート２８ｓａに対して複層構造の一例として二層構造のシートを用い、これにより層Ｌ１，Ｌ２毎に機能分化を図っている点でも相違する。すなわち、筒状網体２９ａと当接する側の内層Ｌ１を、水の拡散浸透目的で導水層Ｌ１とし、他方、通気孔２２Ｈを介して日光が当たる側の外層Ｌ２を、導水層Ｌ１の紫外線劣化防止目的で遮光層Ｌ２としている。なお、遮光層Ｌ２も透水性を有し、これにより、導水層Ｌ１の水が遮光層Ｌ２の表面に拡散浸透するので、これにより、通気孔Ｈ２２から取り込まれる外気は、保水性シート２８ｓａの表面に保持された水に速やかに接触し、当該水を速やかに蒸発させることができる。
【００４５】
このような導水層Ｌ１は、例えば、透水性を有するポリエステルやポリエチレンテレフタレート等の樹脂繊維から構成され、また、遮光層Ｌ２は、例えば、遮光性を有するビニロンやポリエチレン等の樹脂繊維から構成される。なお、このような二層構造の形成は、外層Ｌ２をなす遮光シートと、内層Ｌ１をなす導水シートとを貼り合わせることで実現しても良い。また、遮光層Ｌ２については、その目合が０．２〜１．０ｍｍ程度のものを使用すると良く、そうすれば、防虫効果を発揮し、水分に集まるダニ類・昆虫類の繁殖を防ぐこともできる。
【００４６】
また、場合によっては、図８の斜視図に示すように、各羽根部２０の下方、または下部側方に隣接させて植栽基盤４０Ｂを収容したプランター４０を設置しても良い。このようにすれば、プランター４０に、ヘデラやオオイタビ等のつる植物を植栽して当該植物に羽根部２０の囲い部材２２を登攀させることができて、これにより、かかる植物によって囲い部材２２の側壁部２２ＷＬの壁面が覆われて羽根部２０の緑化が図られ、当該羽根部２０の緑化も、日照起因の羽根部２０の高温化の抑制に寄与するようになる。なお、つる植物の登攀を補助すべく、囲い部材２２の側壁部２２ＷＬの壁面に上下方向に沿わせつつワイヤやネット（不図示）を敷設しても良い。なお、かかるワイヤ４２やネットは、図８に示すように、水平方向に隣り合う羽根部２０，２０同士の間の空間（例えば中間位置）に配置されても良く、この場合には、羽根部２０の側壁部２２ＷＬの壁面は蔓植物で覆われないが、その周辺近傍の緑化を図れるので、上述と同様の高温化抑制効果を奏し得る。
【００４７】
また、給水機構３０の給水口部３１から保水性帯状部材２８へ供給した水の未蒸発分は、羽根部２０の下端部に到達して余剰水となるが、当該余剰水をプランター４０に供給してつる植物の栽培に供しても良い。なお、図８のようにプランター４０を囲い部材２２の下方に設けた場合には、余剰水はそのまま直接プランター４０に落下供給されるが、他方、プランター４０を囲い部材２２の下部側方に設置する場合には、囲い部材２２の下端部には、囲い部材２２内の中空空間からプランター４０の植栽基盤４０Ｂへと余剰水を誘導するための導水管が設けられることになる。  
ちなみに、羽根部２０，２０同士の間の空間は、防風効果によって風が弱められるので、特に高層階の植物にとっては、風ストレスが緩和され、また、羽根部２０が冷却されているので、つる植物の日射による熱ストレスが緩和されており、よって、当該つる植物にとっても良好な生育環境になっている。
【００４８】
図９は、羽根部２０ａの囲い部材２２ａの変形例の斜視図である。上述の実施形態では、二つの略断面コ字形状部材２３，２３を互いに突き合わせることにより、箱状の囲い部材２２を形成していたが、この変形例では、略断面コ字形状部材２３を一つだけ用いることにより、略断面コ字形状の囲い部材２２ａを形成している。すなわち、囲い部材２２ａは、概ね三つの側壁部２３ＷＬ，２３ＷＳ，２３ＷＳしか有さず、これにより、四側方のうちの一方は略全面に亘って開口しているが、かかる囲い部材２２ａが区画する空間に、保水性帯状部材２８を収容して保持可能であれば、このように構成しても良い。ちなみに、図９の例では、保水性帯状部材２８を保持させる目的で、面積の大きい側壁部２３ＷＬの両脇に連続する面積の小さい方の一対の側壁部２３ＷＳ，２３ＷＳには、それぞれ端縁にリブ部２３ｂ，２３ｂが設けられている。すなわち、当該リブ部２３ｂ，２３ｂによって保水性帯状部材２８を引っ掛けることで、囲い部材２２ａ外への保水性帯状部材２８の飛び出しを防いでいる。
【００４９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得ると共に、本発明にはその等価物が含まれるのはいうまでもない。例えば、以下に示すような変形が可能である。
【００５０】
上述の実施形態では、ルーバー１０の一例として縦型ルーバー１０を例示したが、何等これに限るものではなく、横型ルーバー１０ｂとして構成しても良い。すなわち、図１０の斜視図に示すように羽根部２０の長手方向を水平方向に向けながら、複数の羽根部２０，２０…が、建物１の外壁部３の壁面３ａに沿って鉛直方向に間欠的に並んで配置されていても良い。また、この場合についても、同壁面３ａに対する各羽根部２０の向きは、遮光条件に応じて適宜設定される。例えば、同壁面３ａに対して羽根部２０の幅方向を直交させても良いし、又は、同壁面３ａに対して各羽根部２０の幅方向を平行に向けても良いし、或いは、同壁面３ａに対して所定の傾き角で羽根部２０の幅方向が傾斜するように各羽根部２０を配置しても良い。ちなみに、この場合にも、給水機構３０の給水口部３１は、最上段の羽根部２０の上方に配置されるが、当該羽根部２０は水平方向に長いことから、複数の給水口部３１が、水平方向に間欠的に配置されることになる。
【００５１】
また、同図１０の例では、最上段の羽根部２０の上方のみに給水口部３１，３１…が配置されており、給水口部３１，３１…から給水された水は、最上段の囲い部材２２を上下方向に通過した後に、同囲い部材２２の下面壁部２２ＷＬの通気孔２２Ｈを介してその下方の隣に位置する囲い部材２２の上面壁部２２ＷＬの通気孔２２Ｈへと落下供給され、これを順次上方から下方へと繰り返すことによって下方に位置する囲い部材２２，２２…へと給水するように構成されているが、何等これに限るものではなく、例えば、羽根部２０毎にその直上に給水口部３１，３１…を配置しても良い。
【００５２】
上述の実施形態では、囲い部材２２の一例として略直方体の箱体を例示したが、その形状は何等これに限らない。つまり、保水性帯状部材２８を収容可能な空間を区画する部材であって複数の通気孔２２Ｈ，２２Ｈ…が貫通形成された部材であれば、これ以外の形状の部材でも良い。例えば、囲い部材２２は円筒体でも良いし、断面形状が四角形以外の多角形の筒体でも良い。
【００５３】
上述の実施形態では、囲い部材２２（２２ａ）内には、保水性帯状部材２８しか収容せず、ルーバー１０の冷却効果を、その周辺の屋外空間や屋内空間の暑熱環境の改善のみに利用していたが、何等これに限るものではない。例えば、囲い部材２２（２２ａ）内に、保水性帯状部材２８とともに銅管や鋼管等の配管（不図示）を収容し、当該配管内に屋内空調用の熱媒体を流しても良い。すなわち、配管の一方の管端からは熱媒体が送り込まれ、他方の管端からは熱媒体が送出されるようにしても良い。このようにすれば、配管内の熱媒体は、同配管内を通過中に囲い部材２２（２２ａ）内の保水性帯状部材２８の保水性シート２８ｓと熱交換して冷却されるので、当該冷却後の熱媒体を建物１の屋内空調に利用することができる。よって、屋内空調のエネルギー効率を高めることができる。ちなみに、熱媒体は、液体でも気体でも良く、配管はアルミ管でも良い。また、囲い部材２２（２２ａ）内の配管を、つづら折り状に配置すれば、その流路長を長く稼ぐことができて、熱交換効率を高めることができる。
【符号の説明】
【００５４】
１  建物、３  外壁部、３ａ  壁面、
１０  縦型ルーバー（ルーバー）、１０ａ  縦型ルーバー（ルーバー）、
１０ｂ  横型ルーバー（ルーバー）、
２０  羽根部、２０ａ  羽根部、
２２  囲い部材、２２ａ  囲い部材、
２２Ｈ  通気孔、２２Ｕ  単位長さ部材、２２Ｕｅ  端面、
２２ＷＬ  側壁部、２２ＷＳ  側壁部、２２ｅｄ  下端、２２ｅｕ  上端、
２３  略断面コ字形状部材、２３ＷＬ  側壁部、２３ＷＳ  側壁部、２３ｂ  リブ部、
２８  保水性帯状部材、
２８ｓ  保水性シート（シート状保水材）、
２８ｓ１  はみ出した部分、２８ｓ２  未配置部分、
２８ｓａ  保水性シート（シート状保水材）、
２９  保形部材、２９ａ  保形部材、
３０  給水機構、３１  給水口部、
４０  プランター、４０Ｂ  植栽基盤、４２  ワイヤ、
Ａ２８  面、
Ｇ２２  隙間、
Ｇ２８  群、
Ｌ１  内層（導水層）、Ｌ２  外層（遮光層）、
Ｓ  隙間、Ｂ  床部、Ｇ  地面、
【図４】
2013144886.tif 000003
【図６】
2013144886.tif 000004
【図７】
2013144886.tif 000005
【図８】
2013144886.tif 000006
【図９】
2013144886.tif 000007
【図１０】
2013144886.tif 000008
【図１】
2013144886.tif 000009
【図２】
2013144886.tif 000010
【図３】
2013144886.tif 000011
【図５】
2013144886.tif 000012